(57)【要約】【課題】レトルトパウチを安全に保持したまま開封することができ、直接触れることなく内容物を移し変えることのできるレトルトパウチ保持具を提供する。【解決手段】レトルトパウチ保持具１のレトルトパウチ保持具本体４５は、パウチ収容空間４１を具備し、また該レトルトパウチ保持具本体４５の上縁部には、パウチ側部押圧手段４３が設けられており、さらに、操作レバー２２を備え、前記レトルトパウチ１００が開封された状態で前記操作レバー２２が操作されると該パウチ側部押圧手段４３が該レトルトパウチ１００を横断切断部１０１方向に沿って外側から押圧し、該レトルトパウチ１００の横断切断部１０１上に位置した上端開口部１０２の両端が互いに近接することで該上端開口部１０２において対面したパウチシート同士が互いに離開する。【選択図】図１
2016083177.tif 000002
【特許請求の範囲】
【請求項１】
レトルトパウチを保持するレトルトパウチ保持具であって、
前記レトルトパウチは、パウチシートを袋形状としてなり、また、横断上に切断することが予定されている横断切断部があらかじめ定められており、該横断切断部に沿ってパウチシートを切断することで上端開口部が形成され、該上端開口部から内容物が流出可能となるものであり、
レトルトパウチ保持具本体は、前記レトルトパウチの少なくとも一部が収容されるパウチ収容空間を具備し、また該レトルトパウチ保持具本体の上縁部には、該パウチ収容空間に配されたレトルトパウチの側部を前記横断切断部方向に沿って外側から押圧するパウチ側部押圧手段が設けられており、
さらに、前記レトルトパウチ保持具本体は、前記パウチ側部押圧手段と連繋している操作部を備え、
前記レトルトパウチが開封された状態で前記操作部が操作されると該パウチ側部押圧手段が該レトルトパウチを前記横断切断部方向に沿って外側から押圧し、該レトルトパウチの横断切断部上に位置した上端開口部の両端が互いに近接することで該上端開口部において対面したパウチシート同士が互いに離開する
ことを特徴とするレトルトパウチ保持具。
【請求項２】
前記パウチ側部押圧手段が、互いに対面した状態で並置された左右一対のパウチ挟み板部を具備し、該左右一対のパウチ挟み板部間に前記パウチ収容空間が形成されており、さらに各パウチ挟み板部の外側板面には、上下方向に沿って縦断するように線状屈曲部が線状に設けられ、該線状屈曲部は１つのパウチ挟み板部に対して２つ並設されて該２つの線状屈曲部が略ハの字状に配されることで互いに上側に向かうに従って近接する配置となっており、
前記操作部を操作した際には、前記一対のパウチ挟み板部同士が互いに離開する方向に前記線状屈曲部に沿って屈曲する
請求項１に記載のレトルトパウチ保持具。
【請求項３】
前記レトルトパウチ保持具本体には、前記パウチ収容空間内のレトルトパウチを固定するパウチ固定手段が設けられている
請求項１又は請求項２に記載のレトルトパウチ保持具。
【請求項４】
前記レトルトパウチ保持具本体には、前記パウチ収容空間内のレトルトパウチを開封するための開封手段が設けられている
請求項１乃至請求項３のいずれか１項に記載のレトルトパウチ保持具。
【発明の詳細な説明】
【技術分野】
【０００１】
本発明は、加熱されたレトルトパウチを保持し、その内容物を安全かつ容易に注ぎ出すことができるレトルトパウチ保持具に関する。
【背景技術】
【０００２】
従来から、プラスチックフィルムや金属箔又はそれらを多層に合わせたものを袋状に成形してレトルトパウチとし、内容物として加熱殺菌された食品を入れたいわゆる「レトルト食品」はよく知られている。これらは常温で長期間の保存が可能であり、一般的に加熱するだけで内容物を食すことができるため、例えば高齢者であっても手軽に利用できるものである。
【０００３】
こうしたレトルト食品を利用する場合には、一般的に、まずレトルトパウチを熱湯の中に入れて加熱した後、該レトルトパウチを熱湯から取り出し、レトルトパウチの上端部に形成されている横断切断部（パウチカット）に沿って当該上端部を切断して該レトルトパウチを開封する。これにより、内容物を注ぎ出すことが可能となる。
【０００４】
なお、特許文献１には、レトルトパウチを取り扱うためのレトルトパウチのはさみ具が開示されている。かかる構成は、レトルトパウチの端部を受ける受承部と、受承部内に入り込むことにより、レトルトパウチの端部の挟み込みを行う挟み込み部とを備え、これらが一対のハンドルにそれぞれ一体化されている。
【先行技術文献】
【特許文献】
【０００５】
【特許文献１】特許第３６９７７４４号公報
【発明の概要】
【発明が解決しようとする課題】
【０００６】
しかしながら、熱湯から取り出した直後のレトルトパウチを素手で開封しようとする場合には、高温となったレトルトパウチに触れることにより火傷をしてしまうおそれがあった。また、開封時にレトルトパウチを構成するヒートシール部材が伸びてしまって最後まで開封できなかったり、所望のラインで真っ直ぐに切断できなかったりする場合があり、内容物が引っ掛かるなどしてレトルトパウチ内に残留してしまう場合があった。このような場合に、レトルトパウチを手でしごいて内容物を絞り出す必要があるが、火傷のおそれがあるし、内容物を絞り出す器具を使おうとすると、挟み込むなどの装着作業を両手で行う必要があるため、非常に面倒である。したがって、安全面や使いやすさについて改善の余地があった。
【０００７】
また、上記特許文献１にあっては、片手ではさみ具を強固に握り込んだ状態でレトルトパウチを開封しなければならず、はさみ具を握る力を少しでも緩めると、レトルトパウチが外れてしまい、落下してしまうおそれがある。特に、手の不自由な障害者や力の弱い高齢者にとっては、非常に手間がかかり、火傷などの危険を伴う作業となる。
【０００８】
そこで本発明は、レトルトパウチを安全に保持したまま開封することができ、そして内容物を容易かつ確実に注ぎ出すことのできるレトルトパウチ保持具を提供することを目的とする。
【課題を解決するための手段】
【０００９】
本発明は、レトルトパウチを保持するレトルトパウチ保持具であって、前記レトルトパウチは、パウチシートを袋形状としてなり、また、横断上に切断することが予定されている横断切断部があらかじめ定められており、該横断切断部に沿ってパウチシートを切断することで上端開口部が形成され、該上端開口部から内容物が流出可能となるものであり、レトルトパウチ保持具本体は、前記レトルトパウチの少なくとも一部が収容されるパウチ収容空間を具備し、また該レトルトパウチ保持具本体の上縁部には、該パウチ収容空間に配されたレトルトパウチの側部を前記横断切断部方向に沿って外側から押圧するパウチ側部押圧手段が設けられており、さらに、前記レトルトパウチ保持具本体は、前記パウチ側部押圧手段と連繋している操作部を備え、前記レトルトパウチが開封された状態で前記操作部が操作されると該パウチ側部押圧手段が該レトルトパウチを前記横断切断部方向に沿って外側から押圧し、該レトルトパウチの横断切断部上に位置した上端開口部の両端が互いに近接することで該上端開口部において対面したパウチシート同士が互いに離開することを特徴とするレトルトパウチ保持具である。
【００１０】
かかる構成にあっては、レトルトパウチを前記パウチ収容空間に収容した状態で開封することができるし、もしくは開封されたレトルトパウチを素手で触れることなく保持することができる。そのため、仮にレトルトパウチが高温であっても火傷のおそれがない。また、本発明は、レトルトパウチを前記横断切断部方向に沿って外側から押圧し、該レトルトパウチの横断切断部上に位置した上端開口部の両端を互いに近接させて上端開口部を拡開することを大きな特徴としており、良好な衛生状態を確保しつつ、軽い押圧力で好適に上端開口部を拡開することができる。さらに、前記操作部を操作するだけで、直接レトルトパウチに触れることなく上端開口部を広げることができるため、レトルトパウチを開口させたまま当該レトルトパウチ保持具を傾けることにより、内容物を容易かつ確実に注ぎ出すことができる。特に、近年、一人暮らしの高齢者が増加する傾向にあるところ、本発明によれば、こうした高齢者や障害者が介助なくレトルトパウチを開封し、容易かつ安全に内容物を移し変えることができるため、生活の幅が広がるだけでなく介助者の負担も飛躍的に軽減されることとなる。ところで、上述の横断切断部には、レトルトパウチに対して、外観上視認可能に設けられている線状の切断部は勿論含まれるが、さらに、レトルトパウチの端部に切り欠きのみ形成されており、切断することが予定されている部分が設けられているだけで、外観上は線状の切断部が視認できない構造のものも含まれるものとする。
【００１１】
また、前記パウチ側部押圧手段が、互いに対面した状態で並置された左右一対のパウチ挟み板部を具備し、該左右一対のパウチ挟み板部間に前記パウチ収容空間が形成されており、さらに各パウチ挟み板部の外側板面には、上下方向に沿って縦断するように線状屈曲部が線状に設けられ、該線状屈曲部は１つのパウチ挟み板部に対して２つ並設されて該２つの線状屈曲部が略ハの字状に配されることで互いに上側に向かうに従って近接する配置となっており、前記操作部を操作した際には、前記一対のパウチ挟み板部同士が互いに離開する方向に前記線状屈曲部に沿って屈曲するものであることが望ましい。
【００１２】
かかる構成とすることによって、前記パウチ側部押圧手段が撓みにくい板部材で構成されている場合であっても、上記態様で配置した線状屈曲部を設けることで、好適にパウチ挟み板部同士を屈曲させることができる。特に、該線状屈曲部を上記態様で配することにより、前記操作部を操作した際に該パウチ挟み板部の上部を大きく変位させることができるので、レトルトパウチの側部をさらに大きく変位させて上端開口部を大きく広げることが可能となる。
【００１３】
さらに、前記レトルトパウチ保持具本体には、前記パウチ収容空間内のレトルトパウチを固定するパウチ固定手段が設けられていることが望ましい。
【００１４】
かかる構成とすることによって、レトルトパウチを前記パウチ収容空間に確実に固定しておくことができるため、この固定状態を保ちつつレトルトパウチの側部を押圧して上端開口部を確実に拡大することが可能となる。
【００１５】
そして、前記レトルトパウチ保持具本体には、前記パウチ収容空間内のレトルトパウチを開封するための開封手段が設けられていることが望ましい。
【００１６】
かかる構成とすることによって、レトルトパウチを前記パウチ収容空間に収容したまま、はさみ等の他の道具を使用することなく当該レトルトパウチ保持具に設けられた開封手段によってレトルトパウチを開封することができる。
【発明の効果】
【００１７】
本発明のレトルトパウチ保持具は、レトルトパウチを前記パウチ収容空間に収容した状態で開封することができるし、また、開封されたレトルトパウチを安全に保持することができる利点がある。さらに、前記操作部を操作するだけで、レトルトパウチに触れることなくレトルトパウチの上端開口部を広げてその状態を維持することができる優れた利点がある。
【図面の簡単な説明】
【００１８】
【図１】実施例にかかるレトルトパウチ保持具の斜視図である。
【図２】実施例にかかるレトルトパウチ保持具の左側パウチ挟み板部を開いた状態を示す斜視図である。
【図３】実施例にかかるレトルトパウチ保持具の一部切欠側面図である。
【図４】実施例にかかるレトルトパウチ保持具の操作レバーを操作した状態を示す一部切欠側面図である。
【図５】実施例にかかるレトルトパウチ保持具の操作レバーを操作した状態を示す斜視図である。
【図６】レトルトパウチを開口させる機構を示す説明図であり、（ａ）は操作レバーの操作前の状態を示し、（ｂ）は操作レバーを操作した状態を示す。
【図７】実施例にかかるレトルトパウチ保持具の使用状態を説明する説明図である。
【図８】他の実施例にかかるレトルトパウチ保持具を示し、（ａ）は開封手段を備えた構成を示す斜視図であり、（ｂ）は開封手段の内部を示す説明図である。
【図９】他の実施例にかかるレトルトパウチ保持具を示す斜視図である。
【発明を実施するための形態】
【００１９】
以下、本発明のレトルトパウチ保持具を具体化した実施例を詳細に説明する。なお、本発明は、下記に示す実施例に限定されることはなく、適宜設計変更が可能である。ところで実施例を説明する際には、便宜上、前後左右方向を規定して説明する場合があるが、このことは、本発明が下記実施例で定められた方向にのみ限定されて使用されることを意味するものではない。
【００２０】
図１等に示すように、レトルトパウチ保持具１は、パウチ収容空間４１を備えており、該パウチ収容空間４１にレトルトパウチ１００を収容することで該レトルトパウチ１００を素手で触れることなく保持することが可能となる。
【００２１】
さらに詳述すると、前記レトルトパウチ保持具１の下部には、前後方向に長く、内部が空洞である基部１０が設けられている。さらに、該基部１０の後端上側には、把持部２０が配置されている。また、該把持部２０は、左右方向に貫通した開口２１ａが形成されている把持基部２１と、該把持基部２１の開口２１ａ内に配置された操作レバー２２とを備えている。ここで、該操作レバー２２は、前記把持基部２１に設けられた左右方向の軸２３（図３参照）を中心に回動自在とされている。また、図３に示すように、該操作レバー２２の下端には、前記基部１０の内部空間に向かって差し出されたピン１１が設けられている。なお、前記操作レバー２２により、本発明にかかる操作部が構成される。
【００２２】
また、図１等に示すように、前記基部１０の上側であって前記把持部２０の前方には、それぞれ板形状の右側パウチ挟み板部５０と左側パウチ挟み板部６０とが互いに対面した状態で並置されている。さらに、図３に示すように、右側パウチ挟み板部５０の後側辺と、左側パウチ挟み板部６０の後側辺とが、軸３０を中心に回動自在となるように前記基部１０上で接続されている。これに対し、該右側パウチ挟み板部５０の前側辺と、左側パウチ挟み板部６０の前側辺とが、前記基部１０の前端上で回動自在に接続されている。
【００２３】
ここで、図２等に示すように、前記左側パウチ挟み板部６０の前端には、傾動自在なロック操作部６７が設けられている。そして、該ロック操作部６７を傾動操作することで、該左側パウチ挟み板部６０の前側辺と前記右側パウチ挟み板部５０の前側辺との係合が解除され、該左側パウチ挟み板部６０が軸３０を中心に回動して開放可能となる。
【００２４】
具体的には、図２に示すように、前記左側パウチ挟み板部６０の前端には、上下一対の軸部６８が上下方向に沿って設けられている。そして、該軸部６８は、突出方向に付勢されつつ上下に出没自在とされており、前記ロック操作部６７の傾動操作と連動して出没動作する。一方、前記右側パウチ挟み板部５０の前端であって、前記軸部６８に対応する位置には、ロック孔５８が形成されており、該左側パウチ挟み板部６０を閉鎖し、該ロック孔５８に前記軸部６８を圧入させて係合させることで、該左側パウチ挟み板部６０の前側辺と該右側パウチ挟み板部５０の前側辺とが回動自在に接続される。一方、該左側パウチ挟み板部６０が閉鎖した状態で該ロック操作部６７を操作して前記軸部６８をロック孔５８から脱離させると、これにより、該ロック孔５８と該軸部６８との係合が解除され、該左側パウチ挟み板部６０が図２に示すように開放可能となる。
【００２５】
さらに、図１，２に示すように、互いに向かい合うように対置された左右一対の前記パウチ挟み板部５０，６０との間には間隙が形成されており、該右側パウチ挟み板部５０と該左側パウチ挟み板部６０との間に画定された内部空間により、パウチ収容空間４１が構成されている。該パウチ収容空間４１は、上縁が細長形状の開口４２によって外部に開放されており、該パウチ収容空間４１にレトルトパウチ１００が収納された際に、該開口４２から該レトルトパウチ１００の上端が露出可能となっている。
【００２６】
また、図２に示すように、前記パウチ収容空間４１には、いわゆるクリップ構造のパウチ固定手段７０が配置されている。具体的には、該パウチ固定手段７０は、互いに向かい合う固定板７１と可動圧接板７２とで構成され、前記把持部２０に固定された該固定板７１と、該固定板７１に対して可動する可動圧接板７２との間にレトルトパウチ１００の側部を挟み込んで該レトルトパウチ１００を該パウチ収容空間４１内に脱着自在に固定することができる。
【００２７】
また、図１等に示すように、前記左側パウチ挟み板部６０は、前記把持部２０側に配置された後板部６２と、該後板部６２の前縁に屈曲自在に接続されている中板部６３と、該中板部６３の前縁に屈曲自在に接続されている前板部６４とで構成されている。
【００２８】
また、同様に、前記右側パウチ挟み板部５０は、前記把持部２０側に配置された後板部５２と、該後板部５２の前縁に屈曲自在に接続されている中板部５３と、該中板部５３の前縁に屈曲自在に接続されている前板部５４とで構成されている。
【００２９】
さらに詳述すると、前記左側パウチ挟み板部６０の表面となる外側板面６１にあって、前記後板部６２と前記中板部６３との境界には線状屈曲部６５が形成され、さらに該中板部６３と前記前板部６４との境界には線状屈曲部６６が形成されている。これら線状屈曲部６５，６６は、共に外側板面６１上において上下方向に沿って縦断するように形成され、略ハの字状に配されて互いに上側に向かうに従って近接する配置となっている。換言すれば、前記中板部６３は、下底が上底よりも長い台形形状をなしており、この下底と上底とをつなぐ各縦辺が、それぞれ線状屈曲部６５，６６に対応している。なお、前記線状屈曲部６５，６６は、隣り合う板部６２〜６４同士を回動自在に結合するヒンジ構造によって構成されている。
【００３０】
また、同様に、前記右側パウチ挟み板部５０の表面となる外側板面５１にあっては、前記後板部５２と前記中板部５３との境界に線状屈曲部５５が形成され、さらに該中板部５３と前記前板部５４との境界に線状屈曲部５６が形成されている。そして、両線状屈曲部５５，５６が、略ハの字状に配されて互いに上側に向かうに従って近接する配置となっている。
【００３１】
また、図３に示すように、前記右側パウチ挟み板部５０の前側辺の下部には、前記基部１０の内部に向かって差し出されたピン１２が設けられている。さらに、該ピン１２と前記操作レバー２２に形成されたピン１１とが、基部１０内に配置された棒状のリンク部材１３によって連結されている。さらに、前記ピン１１には、付勢手段としての圧縮コイルバネＫが取り付けられており、これにより、該ピン１１が、常時、前方に付勢されている。
【００３２】
次に、前記レトルトパウチ保持具１の使用手順について詳述する。
【００３３】
まず、図２に示すように、前記左側パウチ挟み板部６０を開放した状態で前記パウチ固定手段７０によってレトルトパウチ１００を固定し、該レトルトパウチ１００をパウチ収容空間４１内に収容する。このとき、前記開口４２から該レトルトパウチ１００の横断切断部１０１が露出している状態となるように固定する。そして、前記左側パウチ挟み板部６０を回動して閉鎖する。
【００３４】
当該レトルトパウチ保持具１でレトルトパウチ１００を保持した状態で当該レトルトパウチ１００を加熱し、所定加熱時間経過後に、図３に示すように、該レトルトパウチ１００の横断切断部１０１に沿って該レトルトパウチ１００の一辺を切除し、該レトルトパウチ１００を開封することで該レトルトパウチ１００に上端開口部１０２を形成する。
【００３５】
次に、図４に示すように、前記レトルトパウチ保持具１の操作レバー２２を握り込み、該操作レバー２２を操作する。そうすると、該操作レバー２２の回動に伴い前記ピン１１が手前側（図４において右側）に向かって移動し、前記リンク部材１３を介して前記ピン１２が把持部２０側に引き込まれる。
【００３６】
前記ピン１２が把持部２０側に引き込まれると、該ピン１２に接続されている前記右側パウチ挟み板部５０の前側辺と、前記左側パウチ挟み板部６０の前側辺とが該把持部２０側に変位する。ここで、図５に示すように、前記右側パウチ挟み板部５０の前側辺と、前記左側パウチ挟み板部６０の前側辺とが該把持部２０側に変位すると、これに伴い、各パウチ挟み板部５０，６０が線状屈曲部５５，５６，６５，６６に沿って外側に膨らむように屈曲し、各パウチ挟み板部５０，６０同士が互いに離開する。
【００３７】
ところで、前記右側パウチ挟み板部５０の線状屈曲部５５，５６と、前記左側パウチ挟み板部６０の線状屈曲部６５，６６は、それぞれ上側に向かって互いに近接するように配置されているため、図４，５に示すように、該右側パウチ挟み板部５０及び該左側パウチ挟み板部６０の下部よりも上縁部の方がより大きく把持部２０側に変位する。
【００３８】
そうすると、図６ａに示すように、前記パウチ収容空間４１に配置されていたレトルトパウチ１００の側部は、図６ｂに示すように、両パウチ挟み板部５０，６０の開口４２における上縁部によって把持部２０側に横断切断部１０１に沿って押圧され、これにより該レトルトパウチ１００の上端開口部１０２の両端が互いに近接して、対面したパウチシート同士が互いに離開することとなる。なお、仮にレトルトパウチ１００の横幅が約１４ｃｍである場合には、上端開口部１０２の最大開口幅が約５ｃｍ程度であることが好ましい。
【００３９】
こうして前記上端開口部１０２が大きく開口した前記レトルトパウチ１００を保持した前記レトルトパウチ保持具１を、図７に示すように、容器Ｔ上に向けて傾けることで該レトルトパウチ１００内の内容物を容器Ｔへ容易に注ぐことができる。なお、該上端開口部１０２が大きく開口しているために、内容物に含まれる固形分も円滑に滑り落ちることになる。
【００４０】
なお、上述の右側パウチ挟み板部５０、前記左側パウチ挟み板部６０、及び前記操作レバー２２を具備する把持部２０により、本発明にかかるレトルトパウチ保持具本体４５が構成されている。また、該操作レバー２２の操作に連動する該右側パウチ挟み板部５０の上縁部及び該左側パウチ挟み板部６０の上縁部によって、本発明にかかるパウチ側部押圧手段４３が構成されている。
【００４１】
また、次に述べるような構造が付加されていてもよい。
図８ａに示すように、前記パウチ収容空間４１内のレトルトパウチ１００を開封するための開封手段７５を備えた構成であってもよい。該開封手段７５は、図８ｂに示すように、ケース体からなり、両パウチ挟み板部５０，６０の上縁部、及び把持部２０の上縁部にわたって前後方向に形成されたガイド溝７６に係合している。また、該開封手段７５の内周面には、カッター刃７５ａが取り付けられている。そして、該開封手段７５をガイド溝７６に沿ってスライド移動させると、前記レトルトパウチ１００の上縁部に前記カッター刃７５ａが当接し、該レトルトパウチ１００が横断切断部１０１に沿って開封されることとなる。
【００４２】
上記した構成にあって、操作レバー２２と両パウチ挟み板部５０，６０とを連繋させる構造は、他の構造であっても勿論よい。また、操作レバー２２を操作すると、両パウチ挟み板部５０，６０を外側から強制的に引張して該パウチ挟み板部５０，６０を離開させ、これにより両パウチ挟み板部５０，６０の前側辺を変位させる構成であってもよい。また、前記パウチ挟み板部５０，６０の内側面に、パウチシートが粘着しやすい例えばフッ素ゴム等の粘着材を貼着し、上端開口部１０２の開口をさらに容易にする構成としてもよい。また、両パウチ挟み板部５０，６０は、例えば格子状の枠体によって構成されていてもよい。また、線状屈曲部５５，５６，６５，６６の配設数や形状は、上記実施例に限定されることはなく、適宜変更が可能である。また、前記パウチ挟み板部５０，６０は、ゴムシート等の可撓性材料で構成されていてもよい。かかる構成の場合には、パウチ挟み板部全体が屈曲性を有するため、上述のような線状屈曲部を形成する必要がない。また、パウチ固定手段７０は、上記構造に限定されることはなく、ローラを固定部材として用いた構造であってもよい。また、右側パウチ挟み板部６０を閉鎖固定する構造としては、マグネット、粘着テープ、あるいはスナップボタンを用いたものであってもよい。さらに、前記レトルトパウチ保持具１に、保持するレトルトパウチ１００を加熱する加熱ヒーターが具備されていてもよい。
【００４３】
例えば、図９に示すような、極めて簡易な構造からなるレトルトパウチ保持具１１０としてもよい。すなわち、パウチ挟み板部１５１，１６１は、ゴムシート等の可撓部材からなる袋体で構成され、該パウチ挟み板部１５１，１６１間にパウチ収容空間１４１が形成されている。また、該パウチ挟み板部１５１，１６１の外面には、該パウチ挟み板部１５１，１６１を左右方向に離開させるオープンプライヤ構造の操作レバー１２０が取り付けられている。そして、該操作レバー１２０を握り込むことで、左右一対のパウチ挟み板部１５１，１６１の中央が互いに離開すると共に、パウチ側部押圧手段１４３に対応するパウチ挟み板部１５１，１６１の前端が操作レバー１２０側に変位する。かかる構成とすることにより、レトルトパウチの側部を押圧し、上端開口部を好適に拡開することができる。
【符号の説明】
【００４４】
１，１１０      レトルトパウチ保持具
２２，１２０    操作レバー（操作部）
４１，１４１    パウチ収容空間
４２            開口
４３，１４３    パウチ側部押圧手段
４５            レトルトパウチ保持具本体
５０，１５１    右側パウチ挟み板部
５１，６１      外側板面
５５，６５      線状屈曲部
５６，６６      線状屈曲部
６０，１６１    左側パウチ挟み板部
７０            パウチ固定手段
７５            開封手段
１００          レトルトパウチ
１０１          横断切断部
１０２          上端開口部
【図１】
2016083177.tif 000003
【図２】
2016083177.tif 000004
【図３】
2016083177.tif 000005
【図４】
2016083177.tif 000006
【図５】
2016083177.tif 000007
【図６】
2016083177.tif 000008
【図７】
2016083177.tif 000009
【図８】
2016083177.tif 000010
【図９】
2016083177.tif 000011